(57)【要約】【課題】  媒体取込エラーの対処に伴う煩わしさを軽減する工夫がなされた画像形成装置を提供する。【解決手段】  記録媒体に関する属性を指定することにより記録媒体の種類を特定する属性指定手段と、複数の媒体トレイ装填室それぞれと、媒体トレイ装填室に装填される媒体トレイに収容される記録媒体の種類とを対応付ける媒体対応付手段と、画像形成用として代替可能な記録媒体の種類をグループ化するグループ形成手段と、画像形成用として指定された種類の記録媒体の取込みが不能のときに、媒体給送部に、指定された種類の記録媒体が属するグループと同一のグループに属する他の種類の記録媒体を取り込ませ、取り込んだ記録媒体上に画像形成を行わせる制御手段とを備えた。【選択図】        図５
2007057949.tif 000002
【特許請求の範囲】
【請求項１】
記録媒体が収容された媒体トレイが装填される媒体トレイ装填室を複数有する媒体給送部を備え、これら複数の媒体トレイ装填室に装填された複数の媒体トレイのうちのいずれかの媒体トレイから記録媒体を取り込み、取り込んだ記録媒体上に画像形成部による画像形成を行う画像形成装置において、
記録媒体に関する属性を指定することにより記録媒体の種類を特定する属性指定手段と、
前記複数の媒体トレイ装填室それぞれと、該媒体トレイ装填室に装填される媒体トレイに収容される記録媒体の種類とを対応付ける媒体対応付手段と、
画像形成用として代替可能な記録媒体の種類をグループ化するグループ形成手段と、
画像形成用として指定された種類の記録媒体の取込みが不能のときに、前記媒体給送部に、該指定された種類の記録媒体が属するグループと同一のグループに属する他の種類の記録媒体を取り込ませ、取り込んだ記録媒体上に画像形成を行わさせる制御手段とを備えたことを特徴とする画像形成装置。
【請求項２】
記録媒体が収容された媒体トレイが装填される媒体トレイ装填室を複数有する媒体給送部を備え、これら複数の媒体トレイ装填室に装填された複数の媒体トレイのうちのいずれかの媒体トレイから記録媒体を取り込み、取り込んだ記録媒体上に画像形成部による画像形成を行う画像形成装置において、
記録媒体に関する属性を指定することにより記録媒体の種類を特定する属性指定手段と、
前記複数の媒体トレイ装填室それぞれと、該媒体トレイ装填室に装填される媒体トレイに収容される記録媒体の種類とを対応付ける媒体対応付手段と、
画像形成用として代替可能な属性をリストアップした属性群テーブルを１つ以上作成する属性群作成手段と、
画像形成用として指定された種類の記録媒体の取込みが不能のときに、前記媒体給送部に、該指定された記録媒体の種類が特定される所定の属性がリストアップされた属性群テーブルと同一の属性群テーブルにリストアップされた属性の指定により特定された別の種類の記録媒体を取り込ませ、取り込んだ記録媒体上に画像形成を行わさせる制御手段とを備えたことを特徴とする画像形成装置。
【請求項３】
記録媒体を取り込む際の前記媒体給送部による取込動作を制御する取込動作制御パラメータ、および、記録媒体上に画像形成を行う際の前記画像形成部による画像形成動作を制御する画像形成動作制御パラメータのうちの少なくとも一方を、記録媒体の種類それぞれに対応付ける動作制御パラメータ対応付手段を備え、
前記媒体給送部および前記画像形成部は、記録媒体の取込みおよび記録媒体上への画像形成の際に、対象となる記録媒体の種類に対応付けられた取込動作制御パラメータおよび画像形成動作制御パラメータに基づいて動作するものであることを特徴とする請求項１又は２記載の画像形成装置。
【請求項４】
前記属性指定手段が、記録媒体の種類を特定する前記属性として表面平滑度および坪量の指定が可能なものであって、
前記制御手段が、画像形成用として指定された種類の記録媒体の取込みが不能の時の、該指定された種類とは別の種類の記録媒体の取込みを、表面平滑度が近いものから優先して行う画質優先モード、および、坪量が小さいものから優先して行うスピード優先モードのうちの指定された一方のモードで行うものであることを特徴とする請求項１又は２記載の画像形成装置。
【発明の詳細な説明】
【技術分野】
【０００１】
本発明は、記録媒体を収容する媒体トレイから記録媒体を取り込み、取り込んだ記録媒体上に画像形成部で画像形成を行う画像形成装置に関する。
【背景技術】
【０００２】
従来より、記録媒体が収容された媒体トイレが装填されるスロットを複数有し、これら複数のスロットに装填された複数の媒体トレイのうちのいずれかの媒体トレイから記録媒体を取り込み、取り込んだ記録媒体を画像形成部に送る給送部を備えた画像形成装置が知られている。
【０００３】
この様な画像形成装置のなかには、材料は異なるがサイズが等しい記録媒体を区別して取り込めるように、記録媒体の種類をサイズ以外の属性でも指定することで特定し、複数のスロットそれぞれと、スロットに装填される媒体トレイに収容される記録媒体の種類とを対応付けて認識できるようになっているものがある。
【０００４】
また、記録媒体の種類をサイズ以外の属性でも指定することで特定する画像形成装置のなかには、１回のプリント指示に応じて実行される、１枚もしくは複数の記録媒体への画像形成からなるジョブを開始する際に、オペレータが所定の属性で指定して特定された種類の記録媒体を収容する媒体トレイが見あたらないためにジョブが開始できないという事態を極力回避するために、オペレータが記録媒体の種類を複数の属性で指定すると共にこれら複数の属性に優先順位をつけることが提案されている（特許文献１参照）。
【０００５】
上記提案の画像形成装置では、指定された複数の属性のうち優先順位の一番高い属性と同じ属性が指定されて特定された種類の記録媒体が収容されている媒体トレイがいずれかのスロットに装填されていれば、その装填されている媒体トレイから記録媒体を取り込み、いずれのスロットにも装填されていない場合には、指定した属性のうち優先順位が次に高い属性と同じ属性が指定されて特定された種類の記録媒体が収容されている媒体トレイが装填されたスロットの検出が行われるようになっている。
【特許文献１】特開平１１−４８５８０号公報
【発明の開示】
【発明が解決しようとする課題】
【０００６】
ところが、上記提案の画像形成装置では、ジョブ単位に複数の属性について優先順位を指定しなければ、記録媒体の取込みが不能となる媒体取込エラーに対処できず煩わしいという問題がある。
【０００７】
本発明は、上記事情に鑑み、媒体取込エラーの対処に伴う煩わしさを軽減する工夫がなされた画像形成装置を提供することを目的とする。
【課題を解決するための手段】
【０００８】
上記目的を達成するための本発明の画像形成装置のうち第１の画像形成装置は、
記録媒体が収容された媒体トレイが装填される媒体トレイ装填室を複数有する媒体給送部を備え、これら複数の媒体トレイ装填室に装填された複数の媒体トレイのうちのいずれかの媒体トレイから記録媒体を取り込み、取り込んだ記録媒体上に画像形成部による画像形成を行う画像形成装置において、
記録媒体に関する属性を指定することにより記録媒体の種類を特定する属性指定手段と、
上記複数の媒体トレイ装填室それぞれと、この媒体トレイ装填室に装填される媒体トレイに収容される記録媒体の種類とを対応付ける媒体対応付手段と、
画像形成用として代替可能な記録媒体の種類をグループ化するグループ形成手段と、
画像形成用として指定された種類の記録媒体の取込みが不能のときに、上記媒体給送部に、この指定された種類の記録媒体が属するグループと同一のグループに属する他の種類の記録媒体を取り込ませ、取り込んだ記録媒体上に画像形成を行わさせる制御手段とを備えたことを特徴とする。
【０００９】
本発明の第１の画像形成装置では、画像形成用として属性を指定することにより特定した記録媒体の取込みが不能のときに代替可能な種類の記録媒体を予めグループ化しておくことで、ジョブ単位に複数の属性の優先順位を指定しなくても、媒体取込エラーに対処することができる。したがって、本発明の第１の画像形成装置によれば、媒体取込エラーの対処に伴う煩わしさを軽減することができる。
【００１０】
上記目的を達成するための本発明の画像形成装置のうち第２の画像形成装置は、
記録媒体が収容された媒体トレイが装填される媒体トレイ装填室を複数有する媒体給送部を備え、これら複数の媒体トレイ装填室に装填された複数の媒体トレイのうちのいずれかの媒体トレイから記録媒体を取り込み、取り込んだ記録媒体上に画像形成部による画像形成を行う画像形成装置において、
記録媒体に関する属性を指定することにより記録媒体の種類を特定する属性指定手段と、
上記複数の媒体トレイ装填室それぞれと、この媒体トレイ装填室に装填される媒体トレイに収容される記録媒体の種類とを対応付ける媒体対応付手段と、
画像形成用として代替可能な属性をリストアップした属性群テーブルを１つ以上作成する属性群作成手段と、
画像形成用として指定された種類の記録媒体の取込みが不能のときに、上記媒体給送部に、この指定された記録媒体の種類が特定される所定の属性がリストアップされた属性群テーブルと同一の属性群テーブルにリストアップされた属性の指定により特定された別の種類の記録媒体を取り込ませ、取り込んだ記録媒体上に画像形成を行わさせる制御手段とを備えたことを特徴とする。
【００１１】
本発明の第２の画像形成装置では、画像形成用として属性を指定することにより特定した記録媒体の取込みが不能のときに代替可能な記録媒体の種類を特定する属性を属性群テーブルにリストアップしておくことで、ジョブ単位に複数の属性の優先順位を指定しなくても、媒体取込エラーに対処することができる。したがって、本発明の第２の画像形成装置によれば、媒体取込エラーの対処に伴う煩わしさを軽減することができる。
【００１２】
ここで、記録媒体を取り込む際の上記媒体給送部による取込動作を制御する取込動作制御パラメータ、および、記録媒体上に画像形成を行う際の上記画像形成部による画像形成動作を制御する画像形成動作制御パラメータのうちの少なくとも一方を、記録媒体の種類それぞれに対応付ける動作制御パラメータ対応付手段を備え、
上記媒体給送部および上記画像形成部は、記録媒体の取込みおよび記録媒体上への画像形成の際に、対象となる記録媒体の種類に対応付けられた取込動作制御パラメータおよび画像形成動作制御パラメータに基づいて動作するものであることが好ましい。
【００１３】
この様に、記録媒体の種類に取込動作制御パラメータおよび画像形成動作制御パラメータを対応付けておくことで、その記録媒体の取込動作の制御や、その記録媒体の画像形成動作の制御を的確に行うことができる。
【００１４】
また、上記属性指定手段が、記録媒体の種類を特定する上記属性として表面平滑度および坪量の指定が可能なものであって、
上記制御手段が、画像形成用として指定された種類の記録媒体の取込みが不能の時の、上記指定された種類とは別の種類の記録媒体の取込みを、表面平滑度が近いものから優先して行う画質優先モード、および、坪量が小さいものから優先して行うスピード優先モードのうちの指定された一方のモードで行うものであることも好ましい態様である。
【００１５】
このように、画像形成用として代替可能な記録媒体の中から、代替による画質劣化の少ない記録媒体を優先して取り込めたり、代替による画像形成スピードの鈍化が少ない記録媒体を優先して取り込めると便利である。
【発明の効果】
【００１６】
本発明の画像形成装置によれば、媒体取込エラーの対処に伴う煩わしさを軽減することができる。
【発明を実施するための最良の形態】
【００１７】
以下、本発明の実施形態を説明する。
【００１８】
図１は、本発明の第１の画像形成装置および本発明の第２の画像形成装置の共通の一実施形態の概略構成図である。
【００１９】
図１に示す、本実施形態のプリンタ１は、該プリンタが有する４つのスロット２１ａに対応して配備され、スロットに装填された媒体トレイ３０内から媒体を引き込む給送部２ａと、給送部２ａにより引き込まれた記録媒体を搬送路に沿って搬送する搬送ローラ２ｂと、トナー像を形成し搬送路を搬送されてきた記録媒体に該トナー像を転写し定着することにより画像を形成する画像形成部２ｃと、このプリンタ１全体を制御するプリンタ制御部２ｅと、筐体２の上面に備えられた操作タッチパネル２ｆとで構成された、外部から受信した画像データに基づいて画像の形成を行う画像形成装置である。
【００２０】
このプリンタ１では、初期設定として、記録媒体に関する属性を指定することによる記録媒体の種類の特定と、計４段のスロット２１ａそれぞれに、どのような種類の記録媒体を収容した媒体トレイ３０が装填されているかの登録と、媒体の取込が不能な場合などに代替可能な記録媒体への取込対象の切替を可能にする環境設定とが操作タッチパネル２ｆへの所定の操作により行う必要があり、オペレータが所望する種類の記録媒体を特定する属性の指定がされた後でなければ、外部から受信した画像データに基づいた、１回のプリント指示に応じて実行される、１枚もしくは複数の記録媒体への画像形成からなるジョブは開始されないようになっている。
【００２１】
また、このプリンタ１では、記録媒体に関する属性を指定することにより記録媒体の種類を特定する際に、その種類に応じた画像形成動作を画像形成部２ｃに行わせる画像形成制御パラメータおよびその種類に応じた取込動作を給送部２ａに行わせるための取込制御パラメータも指定できる様になっている。
【００２２】
さらに、このプリンタ１では、代替を可能な種類の記録媒体が複数種類存在する場合に備え、それらの複数の候補の中でいずれを優先して取り込んで行くかの指針として、画質を優先した画質優先モード、あるい、画像形成のスピードを優先したスピード優先モードのうちのいずれかをオペレータが指定できるようになっている。
【００２３】
図２および図３は、このプリンタにおける、記録媒体の種類の特定の様子を示す図である。
【００２４】
図２（ａ）には、図１に示す操作タッチパネル２ｆにおけるデフォルト表示において、タッチボタン‘メニュー’を操作した場合の操作タッチパネル２ｆの様子が示されており、図２（ａ）に示されているタッチボタンへの操作によって起動される動作については以下に説明する。
【００２５】
図２（ｂ）には、図２（ａ）に示す状態の操作タッチパネルにおいてタッチボタン‘媒体特定’を選択した場合の操作タッチパネル２ｆの様子が示されており、このプリンタ１では、媒体‘１’から媒体‘２０’までの計２０種類の記録媒体の特定が後述する属性を指定することで可能となっている。尚、タッチボタン‘閉じる’を操作することで操作タッチパネル２ｆを図２（ａ）に示す状態に戻すことができる様になっている。
【００２６】
このプリンタ１では、記録媒体の種類を特定する属性として‘サイズ’、‘反射率’、‘坪量’、画像形成動作制御パラメータとして‘定着ニップ圧’、取込動作制御パラメータとして‘エアアシスト’の指定が可能となっており、図３には、図２（ｂ）においてタッチボタン‘６’を操作した場合の操作タッチパネル２ｆの様子が示されている。尚、この媒体‘６’についてのこれら属性の新規登録および変更については、図３に示すタッチボタン‘変更’を操作した後、属性の入力または変更後、タッチボタン‘適用’を操作することで可能となっている。また、タッチボタン‘閉じる’を操作することで操作タッチパネル２ｆを図２（ｂ）に示す状態に戻すことができる様になっている。さらには、記録媒体の種類を指定する際の便宜のために、記録媒体の種類を特定する際に、媒体ごとに‘名称’を付すことができるようになっている。又、給送部２ａに実際には備えられているエアー吹付装置、および、画像形成部２ｃに実際には備えられているニップ圧調節装置の図示は省略している。
【００２７】
図４は、図２（ａ）に示す状態の操作タッチパネルにおいてタッチボタン‘トレイ登録’を操作した場合の操作タッチパネルの様子を示す図である。
【００２８】
図４には、このプリンタ１に備えられている４つのスロットそれぞれと、スロット２１ａに装填される媒体トレイ３０に収容される記録媒体の種類との現在の対応付けが示されており、ここには、トレイ‘１’、即ちこのプリンタ１における最上段のスロットに装填されている媒体トレイに収容されている記録媒体が、‘名称’が‘コート’でサイズＡ４の媒体‘６’であることなどが示されている。尚、これら対応付けの新規登録および変更は、対象となるトレイ番号を操作した後にタッチボタン‘変更’を操作し、その後、対応付けたい媒体番号を操作後、タッチボタン‘適用’を操作することにより行えるようになっている。また、対応付けを行う前に媒体の詳細を確認する場合には、タッチボタン‘詳細表示’を操作することで、図３に示す様な記録媒体の種類を特定するために指定されている属性が操作タッチパネル２ｆに表示されるようになっている。また、タッチボタン‘閉じる’を操作することで画面表示を図２（ａ）に戻すことができる様になっている。
【００２９】
図５は、図２（ａ）に示す状態の操作タッチパネルにおいて、タッチボタン‘候補選定’を操作した場合の操作タッチパネルの様子を示す図である。
【００３０】
このプリンタ１には、媒体取込エラーが発生した場合などに代替可能な記録媒体への取込対象の切替を可能とする環境設定手段が２種類備えられており、図５には、これら２種類の手段による環境設定をそれぞれ行う際に操作するタッチボタン‘グループ設定’およびタッチボタン‘条件設定’が表示されている様子が示されている。
【００３１】
図６は、図５に示す状態の操作タッチパネルにおいてタッチボタン‘グループ設定’を操作した場合の操作タッチパネルの様子を示す図である。
【００３２】
図６には、タッチボタン‘新規登録’、タッチボタン‘変更’、およびタッチボタン‘削除’が示されており、この環境設定手段では、代替可能な種類の記録媒体を予めグループ化しておき、ジョブ開始時に指定されている種類の記録媒体の取込みが不能のときに、この指定された種類の記録媒体が属するグループと同一のグループに属する他の種類の記録媒体を取り込むようになっている。
【００３３】
図７は、図６に示す状態の操作タッチパネルにおいてタッチボタン‘新規登録’を操作した場合の操作タッチパネルの様子を示す図である。
【００３４】
図７には、このプリンタ１において最初にグループ登録をする際の様子が示されており、図７には、グループ名が‘グループ１’と命名されている様子が示されている。尚、既に‘グループ１’の登録が済んでいる場合には、自動的に‘グループ２’が命名されることとなる。
【００３５】
記録媒体の種類のグループへの登録は、所望の種類の記録媒体の媒体番号を操作した後、タッチボタン‘登録’を操作することで行えるようになっており、図７には、媒体番号‘１’、‘２’、‘３’、‘６’がこれら操作によって‘グループ１’に登録されていることが、枠２１ｆの内部にこれら番号が記されていることで示されている。尚、同じグループに属する他の種類の記録媒体が複数ある場合に、すなわち、ジョブ開始時に指定されている記録媒体が媒体‘６’だとすると、次候補は、同じ‘グループ１’の他の種類の記録媒体である媒体‘１’、‘２’、‘３’のうちのいずれかとなるが、これらのうちいずれから選択されていくかについての説明は後に譲る。尚、媒体番号を操作した後に、タッチボタン‘詳細情報’を操作することで、その媒体番号で登録されている記録媒体の種類を特定する属性の詳細を表示することができるようになっている。また、タッチボタン‘閉じる’を操作することで操作タッチパネル２ｆを図６に示す状態に戻すことができる様になっている。
【００３６】
ここで、説明を図６に戻すが、図６に示すタッチボタン‘変更’を操作すると、グループに登録されている媒体の削除およびグループへの媒体の新規登録が可能となり、図６に示すタッチボタン‘削除’を操作すると、グループ自体の削除が可能となる。
【００３７】
図８は、図５に示す操作タッチパネルにおいて、タッチボタン‘条件設定’を操作した場合の操作タッチパネルの様子を示す図である。
【００３８】
図８には、タッチボタン‘新規登録’、タッチボタン‘変更’、およびタッチボタン‘削除’が示されており、この環境設定手段では、代替可能な記録媒体の種類を特定する属性を予め属性群テーブルにリストアップしておくことで、指定された種類の記録媒体の取込みが不能のときに、ジョブ開始時に指定されている記録媒体の種類が特定される所定の属性がリストアップされた属性群テーブルと同一の属性群テーブルにリストアップされた属性の指定により特定された別の種類の記録媒体を取り込むようになっている。
【００３９】
図９は、図８に示す状態の操作タッチパネルにおいてタッチボタン‘新規登録’を操作した場合の操作タッチパネルの様子を示す図である。
【００４０】
図９には、このプリンタ１における最初のテーブル作成の様子を示しており、図９には、テーブル名が‘テーブル１’と命名されている様子が示されている。尚、既に‘テーブル１’の登録が済んでいる場合には、自動的に‘テーブル２’が命名されることとなる。
【００４１】
また、図９には、属性‘サイズ’が‘Ａ４’あるいは‘Ａ３’で、かつ属性‘反射率’が‘７０％―８５％’で、かつ属性‘坪量’が‘６４ｇｓｍ―１０５ｇｓｍ’という条件が‘テーブル１’にリストアップされている様子が示されている。
【００４２】
ジョブ開始時に媒体‘６’が指定されていたとすると、この媒体‘６’の属性は図３に示すように、‘サイズ’が‘Ａ４’、‘反射率’が‘８５％’、‘坪量’が‘８０ｇｓｍ’であることから、この媒体‘６’は、テーブル１に属することとなる。したがって、代替の記録媒体は、‘テーブル１’に登録されている条件を全て満たす属性が指定されて特定された種類の記録媒体となる。尚、同一の属性群テーブルにリストアップされた属性の指定により特定された別の種類の記録媒体が複数ある場合に、これらのうちいずれから選択していくかについての説明は後に譲る。尚、属性の入力が終了した後、タッチボタン‘登録’を操作することで、これら属性は‘テーブル１’に登録される。
【００４３】
説明を図８に戻すが、図８に示すタッチボタン‘変更’を操作すると、属性群テーブルに登録済みの属性の削除および属性の変更が可能となり、また、図８に示すタッチボタン‘削除’を操作すると、属性群テーブル自体の削除が可能となる。
【００４４】
ここで、図１０は、図２（ａ）に示す状態の操作タッチパネルにおいてタッチボタン‘戻る’を操作した場合の操作タッチパネルの様子を示す図である。
【００４５】
このプリンタ１では、２種類の環境設定手段それぞれにより代替可能な種類の記録媒体の候補選定が、同一グループ内の他の種類の記録媒体とする‘グループ’および、同一の属性群テーブルにリストアップされた属性の指定により特定された別の種類の記録媒体とする‘テーブル’の２通りで可能となっており、また、これら２通りの候補選定手段それぞれにより代替可能な種類の記録媒体とされた記録媒体が複数ある場合の次候補の決定については、画質を優先する‘画質’優先モード、および、ジョブの処理スピードを優先する‘スピード’優先モードの２通りで可能となっている。‘画質’優先モードが指定されている場合には、その複数の候補のうち反射率が近い記録媒体を優先した決定が行われ、‘スピード’優先モードが指定されている場合には、その複数の候補のうち坪量の小さい記録媒体を優先した決定が行われる。尚、このプリンタ１では、オペレータによる優先指定がなされなければ、画像優先がデフォルト指定されるようになっている。
【００４６】
図１０には、プリント１が外部からの画像データを受信中であるとのメッセージ、および、４つのスロットそれぞれに装填されている媒体トレイ３０それぞれに現在収容されている記録媒体の種類を特定する属性が表示され、候補選定手段として‘グループ’が、優先モードとしてデフォルトである‘画質優先’が指定されている様子が示されている。
【００４７】
このプリンタ１における、現在受信中の画像データに関するジョブを開始するための記録媒体の指定は、図１０に示す状態の操作タッチパネル２ｆにおいて、オペレータが所望する種類の記録媒体の表示部分への操作により可能となっており、また、媒体取り込みエラーが発生した場合の代替の記録媒体の候補選定を、同一のグループに登録された他の種類の記録媒体とするのか、あるいは、同一の属性群テーブルにリストアップされた属性の指定により特定された別の種類の記録媒体とするのかの指定の切替は、図１０に示す状態の操作タッチパネル２ｆにおいてタッチボタン‘候補選定’操作することにより可能となっている。さらに、優先モードの切替は、図１０に示す状態の操作タッチパネル２ｆにおいてタッチボタン‘モード切替’を操作することにより可能となっている。尚、図１０に示す状態の操作タッチパネル２ｆにおいてタッチボタン‘メニュー’を操作することで、操作タッチパネル２ｆは図２（ａ）に示す状態となり、タッチボタン‘プリント中止’を操作することで、受信中の画像データに基づくジョブを削除することができるようになっている。
【００４８】
以上に説明したように、このプリンタ１では、ジョブ単位に複数の属性の中での優先順位を指定しなくても、媒体取り込みエラーに対処することができる。したがって、本実施形態のプリンタ１によれば、媒体取込エラーの対処に伴う煩わしさを軽減することができる。また、このプリンタ１では、記録媒体の種類に取込動作制御パラメータおよび画像形成動作制御パラメータを対応付けることができるようになっており、これにより、その記録媒体の取込動作の制御や、その記録媒体の画像形成動作の制御を的確に行うことができる。さらに、このプリンタ１では、媒体引込エラーが発生した場合の代替可能な記録媒体の中から、代替による画質劣化の少ない記録媒体を優先して取り込んだり、代替による画像形成スピードの鈍化が少ない記録媒体を優先して取り込んだりすることができるようになっており、これにより、媒体処理エラーに対処しながらも代替記録媒体に対するオペレータの意志をある程度反映させることができる。
【００４９】
図１１は、このプリンタの電源が投入されると、制御部において起動されるルーチンのフローチャートを示す図である。
【００５０】
図１１に示すステップＳ１では、画像データが送信されてきているか否かを判定し、未だ画像データが送信されてきていない、即ちジョブが無いと判定すると、ステップＳ１を繰り返し、画像データが送信されてきた、即ちジョブが有ると判定すると、ステップＳ２に進む。ステップＳ２では、ジョブの対象となる記録媒体が指定されているか否かが判定される。ステップＳ２において、指定されていないと判定すると、ステップＳ３に進み、記録媒体の指定指示の表示を指示する。その後、ステップＳ１に戻る。ステップＳ２において、記録媒体が指定されたと判定すると、ステップＳ４に進み、指定の記録媒体が収容されている媒体トレイがいずれのスロットに装填されているかを検出する。ステップＳ５では、指定した種類の記録媒体についての取込動作制御パラメータおよび画像形成動作制御パラメータの読込みを行う。ステップＳ６では、プリント動作を指示し、読み込んだ取込動作制御パラメータおよび画像形成動作制御パラメータに応じて画像形成部２ｃおよび給送部２ａは動作する。ステップＳ７では、ジョブが終了したか否かを判定する。ステップＳ７において、ジョブが終了したと判定すると、ステップＳ１に戻り、ジョブが終了していないと判定すると、ステップＳ８に進む。ステップＳ８では、記録媒体が空になったことも含め、記録媒体の引込エラーが発生しているか否かを判定する。ステップＳ８において、エラーが発生していないと判定すると、ステップＳ７に戻り、エラーが発生していると判定すると、ステップＳ９に進む。ステップＳ９では、プリント動作の停止を指示し、ステップＳ１０では、引込不能となった記録媒体の属するグループ、または属性群テーブルの検出を行う。ステップＳ１１では、優先モードを検出し、ステップＳ１２では、グループ内、あるいは同一の属性群テーブルの候補の中で現在指定されている優先モードに従って決定した種類の記録媒体を収容した媒体トレイがいずれかのスロットに装填されているか否かを判定する。ステップＳ１２において、同一グループ内あるいは同一属性群テーブル内の候補のうち４つのスロットのうちのいずれかのスロットから引込みが可能であると判定すると、ステップＳ５に戻り、いずれのスロットからも引込みが不能であると判定すると、ステップＳ１３に進み、ジョブ開始時に指定されていた記録媒体の補充指示を表示し、その後、このルーチンを終了する。
【００５１】
尚、以上に説明した実施形態では、２つの候補選定手段を備えた場合を例に挙げて説明したが、本発明はこれに限るものではなく、これらの内いずれか一方のみを備えていれば良く、また、２つの優先モードを備えている場合を例に挙げて説明したが、本発明はこれに限るおのではなく、これらの内の一方、さらには、いずれのモードも備えず、例えば、画像形成を確実に行うために、複数の代替候補の中からサイズの大きな記録媒体から優先して引き込むようになっていてもよい。また、以上に説明した実施形態では、属性として‘サイズ’、‘反射率’、‘坪量’、画像形成動作制御パラメータとして‘定着ニップ圧’、取込動作制御パラメータとして‘エアアシスト’を例に挙げて説明したが、属性、画像形成動作制御パラメータ、および取込動作制御パラメータがこれらに限るものではない。
【図面の簡単な説明】
【００５２】
【図１】本発明の第１の画像形成装置および本発明の第２の画像形成装置の共通の一実施形態の概略構成図である。
【図２】このプリンタにおける、記録媒体の種類の特定の様子を示す図である。
【図３】このプリンタにおける、記録媒体の種類の特定の様子を示す図である。
【図４】図２（ａ）に示す状態の操作タッチパネルにおいてタッチボタン‘トレイ登録’を操作した場合の操作タッチパネルの様子を示す図である。
【図５】図２（ａ）に示す状態の操作タッチパネルにおいて、タッチボタン‘候補選定’を操作した場合の操作タッチパネルの様子を示す図である。
【図６】図５に示す状態の操作タッチパネルにおいてタッチボタン‘グループ設定’を操作した場合の操作タッチパネルの様子を示す図である。
【図７】図６に示す状態の操作タッチパネルにおいてタッチボタン‘新規登録’を操作した場合の操作タッチパネルの様子を示す図である。
【図８】図５に示す操作タッチパネルにおいて、タッチボタン‘条件設定’を操作した場合の操作タッチパネルの様子を示す図である。
【図９】図８に示す状態の操作タッチパネルにおいてタッチボタン‘新規登録’を操作した場合の操作タッチパネルの様子を示す図である。
【図１０】図２（ａ）に示す状態の操作タッチパネルにおいてタッチボタン‘戻る’を操作した場合の操作タッチパネルの様子を示す図である。
【図１１】このプリンタの電源が投入されると、制御部において起動されるルーチンのフローチャートを示す図である。
【符号の説明】
【００５３】
１  プリンタ
２ａ  給送部
２１ａ  スロット
２ｂ  搬送ローラ
２ｃ  画像形成部
２ｅ  制御部
２ｆ  操作タッチパネル
【図１】
2007057949.tif 000003
【図２】
2007057949.tif 000004
【図３】
2007057949.tif 000005
【図４】
2007057949.tif 000006
【図５】
2007057949.tif 000007
【図６】
2007057949.tif 000008
【図７】
2007057949.tif 000009
【図８】
2007057949.tif 000010
【図９】
2007057949.tif 000011
【図１０】
2007057949.tif 000012
【図１１】
2007057949.tif 000013